(57)【要約】【課題】  戸棚の中のものの取出しや収納を容易とするとともに、圧迫感を取り除き作業をし易くする昇降式戸棚を提供すること。【解決手段】  本発明の昇降式戸棚は、下側が開口した戸棚ケース１１と、戸棚ケース１１の内側に収納され、上下方向にスライド可能のスライド収納棚１２と、ベルトまたはワイヤ２８をモータ駆動により巻取り巻戻しスライド収納棚１２を上下方向にスライド移動させる昇降装置２０と、戸棚ケース１１の前面側に上下方向にスライド可能に取付けられ、スライド収納棚１２が上下方向にスライド移動するとき連動してスライド移動する開口扉３６とを備えることとした。【選択図】  図１
2006000581.tif 000002
【特許請求の範囲】
【請求項１】
下側が開口した戸棚ケースと、前記戸棚ケースの内側に収納され、前記開口から上下方向にスライド可能のスライド収納棚と、ベルトまたはワイヤをモータ駆動により巻取り巻戻し前記スライド収納棚を上下方向にスライド移動させる昇降装置と、前記戸棚ケースの前面側に上下方向にスライド可能に取付けられ、前記スライド収納棚が上下方向にスライド移動するとき連動してスライド移動する開口扉とを備えたことを特徴とする昇降式戸棚。
【請求項２】
下側が開口した戸棚ケースと、前記戸棚ケースの内側に収納され、前記開口から上下方向にスライド可能のスライド収納棚と、ベルトまたはワイヤをモータ駆動により巻取り巻戻し前記スライド収納棚を上下方向にスライド移動させる昇降装置と、前記戸棚ケースの前面側に上下方向にスライド可能に取付けられ、前記スライド収納棚が上下方向にスライド移動するとき連動してスライド移動する開口扉とを備え、前記引出し棚は、前記開口扉がスライド移動し上昇したとき、さらに前方にスライド移動することを特徴とする昇降式戸棚。
【請求項３】
前記開口扉は、前記戸棚ケースの内部に回転自在に取付けられたガイドローラに掛けられ、一方の端部が前記開口扉に固定され、他方の端部が前記スライド収納棚に固定されたベルトまたはワイヤにより昇降することを特徴とする請求項１または２に記載の昇降式戸棚。
【請求項４】
前記開口扉は、スイング式の開口扉とし、前記戸棚ケースの側面内側に回転自在に取付けられた回転アームに固定され、前記回転アームを回動することにより、前記スイング式の開口扉を内側上方に回動することを特徴とする請求項１または２に記載の昇降式戸棚。
【発明の詳細な説明】
【技術分野】
【０００１】  本発明は、昇降式戸棚に関し、特に、戸棚の中のものの取出しや収納を容易とするとともに、圧迫感を取り除き作業をし易くする昇降式戸棚に関する。
【背景技術】
【０００２】  従来の戸棚には、台所の壁面上部などに設置設され、モータ駆動によりワイヤを巻取り巻戻しすることにより、底面が開口した戸棚ケースに収納した戸棚を昇降可能にする昇降式戸棚がある（例えば、特許文献１参照）。
図９は、従来の昇降式戸棚の斜視図を示し、図９（ａ）は、収納棚が戸棚ケースに収納されたときの斜視図を示し、図９（ｂ）は、収納棚が下降したときの斜視図を示す。
図９（ａ）に示すように、従来の昇降式戸棚は、収納棚９２が昇降可能に戸棚ケース９１に収納され、収納棚９２が戸棚ケース９１に収納されているときには、フラップ式の扉９６は閉じられている。図９（ｂ）に示すように、収納棚９２が戸棚ケース９１から下降したときには、フラップ式の扉９６は開口し、戸棚ケース９１の中のものの取出しや収納を行うことができる。
しかしながら、従来の昇降式戸棚は、戸棚ケース９１に収納する戸棚ケース９１を下降させたとき、フラップ式の扉９６は開口し、戸棚ケース９１の中のものの取出しや収納を行うことができるが、フラップ式の扉９６の下端が前方に向け移動するため、作業者に対し圧迫感を生じることがあり煩わしく、作業もし難いという問題があった。
また、戸棚ケースに収納した戸棚を斜め前方に昇降させる昇降式戸棚もあるが（例えば、特許文献２参照）、やはり、戸棚が斜め前方に下降するとき、前方に開口するフラップ式の扉が設けられており、同様の問題があった。【０００３】
【特許文献１】      特開２００２−１７７０６２号公報
【特許文献２】      特開２０００−２６２３３６号公報
【発明の開示】
【発明が解決しようとする課題】
【０００４】  本発明は、上記に鑑みてなされたものであって、戸棚の中のものの取出しや収納を容易とするとともに、圧迫感を取り除き作業をし易くする昇降式戸棚を提供することを目的とする。
【課題を解決するための手段】
【０００５】  本発明の昇降式戸棚は、下側が開口した戸棚ケースと、前記戸棚ケースの内側に収納され、前記開口から上下方向にスライド可能のスライド収納棚と、ベルトまたはワイヤをモータ駆動により巻取り巻戻し前記スライド収納棚を上下方向にスライド移動させる昇降装置と、前記戸棚ケースの前面側に上下方向にスライド可能に取付けられ、前記スライド収納棚が上下方向にスライド移動するとき連動してスライド移動する開口扉とを備えることとした。
また、本発明の昇降式戸棚は、下側が開口した戸棚ケースと、前記戸棚ケースの内側に収納され、前記開口から上下方向にスライド可能のスライド収納棚と、ベルトまたはワイヤをモータ駆動により巻取り巻戻し前記スライド収納棚を上下方向にスライド移動させる昇降装置と、前記戸棚ケースの前面側に上下方向にスライド可能に取付けられ、前記スライド収納棚が上下方向にスライド移動するとき連動してスライド移動する開口扉とを備え、前記引出し棚は、前記開口扉がスライド移動し上昇したとき、さらに前方にスライド移動することとした。
また、前記開口扉は、前記戸棚ケースの内部に回転自在に取付けられたガイドローラに掛けられ、一方の端部が前記開口扉に固定され、他方の端部が前記スライド収納棚に固定されたベルトまたはワイヤにより昇降することとした。
さらに、前記開口扉は、スイング式の開口扉とし、前記戸棚ケースの側面内側に回転自在に取付けられた回転アームに固定され、前記回転アームを回動することにより、前記スイング式の開口扉を内側上方に回動することとした。
【発明の効果】
【０００６】  本発明の昇降式戸棚は、下側が開口した戸棚ケースと、前記戸棚ケースの内側に収納され、前記開口から上下方向にスライド可能のスライド収納棚と、ベルトまたはワイヤをモータ駆動により巻取り巻戻し前記スライド収納棚を上下方向にスライド移動させる昇降装置と、前記戸棚ケースの前面側に上下方向にスライド可能に取付けられ、前記スライド収納棚が上下方向にスライド移動するとき連動してスライド移動する開口扉とを備えることとしたため、スライド収納棚を下降したときにスライド収納棚の前側を全面的に開口することができ、スライド収納棚の中のものの取出しや収納を容易とするとともに、開口扉による圧迫感を取り除き作業をし易くすることができる。
また、本発明の昇降式戸棚は、下側が開口した戸棚ケースと、前記戸棚ケースの内側に収納され、前記開口から上下方向にスライド可能のスライド収納棚と、ベルトまたはワイヤをモータ駆動により巻取り巻戻し前記スライド収納棚を上下方向にスライド移動させる昇降装置と、前記戸棚ケースの前面側に上下方向にスライド可能に取付けられ、前記スライド収納棚が上下方向にスライド移動するとき連動してスライド移動する開口扉とを備え、前記引出し棚は、前記開口扉がスライド移動し上昇したとき、さらに前方にスライド移動することとしたため、スライド収納棚が下降するときには開口扉が上昇してスライド収納棚の前側下方を開口し、さらに斜め下方にスライド移動したときには、スライド収納棚の前側が全面的に開口しており、スライド収納棚の中のものの取出しや収納を容易とするとともに、圧迫感を取り除き作業をし易くすることができる。
また、前記開口扉は、前記戸棚ケースの内部に回転自在に取付けられたガイドローラに掛けられ、一方の端部が前記開口扉に固定され、他方の端部が前記スライド収納棚に固定されたベルトまたはワイヤにより昇降することとしたため、開口扉の開口を簡潔構造で行うことができ、スライド収納棚の中のものの取出しや収納を容易とするとともに、圧迫感を取り除き作業をし易くすることができる。
さらに、前記開口扉は、スイング式の開口扉とし、前記戸棚ケースの側面内側に回転自在に取付けられた回転アームに固定され、前記回転アームを回動することにより、前記スイング式の開口扉を内側上方に回動することとしたため、スイング式の開口扉の回動を簡潔構造で行うことができ、スライド収納棚の中のものの取出しや収納を容易とするとともに、圧迫感を取り除き作業をし易くすることができる。
【発明を実施するための最良の形態】
【０００７】  以下、本発明の実施の形態の昇降式戸棚につき図を用いて説明する。
【実施例１】
【０００８】  図１は、本発明の第１の実施の形態の昇降式戸棚の斜視図を示し、図１（ａ）は、本発明の第１の実施の形態の昇降式戸棚のスライド収納棚が戸棚ケースに収納されたときの斜視図を示し、図１（ｂ）は、本発明の第１の実施の形態の昇降式戸棚のスライド収納棚が下降したときの斜視図を示す。
図１（ａ）に示すように、本発明の第１の実施の形態の昇降式戸棚は、スライド収納棚１２が戸棚ケース１１に収納されている。戸棚ケース１１は、スライド収納棚１２の内側側面との間に設けられたスライダ１３により上昇方向と下降方向にスライド可能に取付けられ、戸棚ケース１１の前面側には左右の端面側に設けられたスライダ（図しせず）により上昇方向と下降方向にスライドする開口扉３６が取付けられ、スライド収納棚１２が戸棚ケース１１に収納されているときには下降しスライド収納棚１２の前面側を塞いでいる。戸棚ケース１１の内側上方にはスライド収納棚１２を昇降させる図２に示す戸棚ケース昇降装置２０と開口扉昇降装置３０とが設置されている。
図１（ｂ）に示すように、戸棚ケース１１よりスライド収納棚１２が下降したときには、開口扉３６は上昇し、スライド収納棚１２の前面が全面開口する。【０００９】  図２は、本発明の第１の実施の形態の昇降式戸棚に設けられる戸棚ケース昇降装置と開口扉昇降装置の斜視図を示す。
図２に示すように、戸棚ケース昇降装置２０は、スライド収納棚１２の上面側の中央に駆動モータ２１が取付けられ、駆動モータ２１は、ＤＣモータ２１ａと、ＤＣモータ２１ａの回転数を減速しトルクを増大する減速器２１ｂとにより構成され、減速器２１ｂは、戸棚ケース１１（図１参照）の内部に取付けられた回転軸２４に連結している。回転軸２４には巻取りローラ２２が取り付けられ、ガイドローラ２３がスライド収納棚１２の上部端部側に取り付けられ、戸棚ケース昇降ベルト２８は、一方の端部が巻取りローラ２２に固定され、ガイドローラ２３に掛けられて他方の端部が戸棚ケース１１（図１参照）の内部に取付けられた固定バー２５に固定され、戸棚ケース昇降装置２０の他方側も同様の構成となっている。
開口扉昇降装置３０は、戸棚ケース１１の内部に取付けられた軸３２にガイドローラ３１が回転自在に取付けられ、開口扉昇降ベルト３８は、一方の端部がベルト固定部３３により開口扉３６の上端に固定され、ガイドローラ３１に掛けられた他方の端部がベルト固定部３４によりスライド収納棚１２の上面に固定され、開口扉昇降装置３０の他方側も同様の構成となっている。
駆動モータ２１は、上昇スイッチ３９ａと下降スイッチ３９ｂとを有し、壁面などに設けられる操作スイッチ３９に接続している。上昇スイッチ３９ａが操作されると、駆動モータ２１は正転作動して巻取りローラ２２が戸棚ケース昇降ベルト２８を巻き取ってスライド収納棚１２を上昇させ、下降スイッチ３９ｂが操作されると、逆転作動して巻取りローラ２２を逆転回動させ巻取りローラ２２に巻かれている戸棚ケース昇降ベルト２８は巻き戻されスライド収納棚１２を下降させることができる。
開口扉昇降装置３０は、操作スイッチ３９の下降スイッチ３９ｂが操作されスライド収納棚１２が下降するとき、ガイドローラ３１に掛けられた開口扉昇降ベルト３８がスライド収納棚１２の下降に伴ってベルト固定部３４により牽引され、開口扉３６を上昇方向にスライド移動させることができ、また、開口扉昇降装置３０は、操作スイッチ３９の上昇スイッチ３９ａが操作されスライド収納棚１２が上昇するとき、ガイドローラ３１に掛けられた開口扉昇降ベルト３８がスライド収納棚１２の上昇に伴ってベルト固定部３４により緩められ、開口扉３６を下降方向にスライド移動させることができる。【００１０】  図３は、本発明の第１の実施の形態の昇降式戸棚に用いられる戸棚ケース昇降装置と開口扉昇降装置の側面図を示し、図３（ａ）は、戸棚ケースにスライド収納棚が収納されているときの側面図を示し、図３（ｂ）は、スライド収納棚が下降したときの側面図を示す。
図３により、本発明の第１の実施の形態の昇降式戸棚の動作につき説明する。
図３（ａ）に示すように、本発明の第１の実施の形態の昇降式戸棚は、収納物の収納や取出しを行わないときは、スライド収納棚１２が戸棚ケース１１に収納され、戸棚ケース昇降装置２０の巻取りローラ２２が駆動モータ２１によりにガイドローラ２３に掛けられた戸棚ケース昇降ベルト２８を巻取り、スライド収納棚１２を上昇させているとともに、開口扉昇降装置３０がスライド収納棚１２の上昇によってガイドローラ３１に掛けられた開口扉昇降ベルト３８を移動させて開口扉３６を下降させ、スライド収納棚１２の前面側を塞いでいる。
図３（ｂ）に示すように、下降スイッチ３９ｂが操作されたとき戸棚ケース昇降装置２０の駆動モータ２１は巻取りローラ２２を逆転回動させ、巻取りローラ２２に巻かれている戸棚ケース昇降ベルト２８を巻き戻し、スライド収納棚１２を下降させるとともに、開口扉昇降装置３０は、ガイドローラ３１に掛けられた開口扉昇降ベルト３８がスライド収納棚１２の下降に伴ってベルト固定部３４により牽引され、開口扉３６を上昇方向にスライド移動させている。【００１１】  以上述べたように、本発明の第１の実施の形態の昇降式戸棚は、戸棚ケース昇降装置２０によりスライド収納棚１２を下降させたときに、開口扉昇降装置３０により開口扉３６を上昇させスライド収納棚１２の前側を全面的に開口することができ、スライド収納棚１２の中のものの取出しや収納を容易とするとともに、開口扉３６は垂直方向に上昇し前方に出っ張らないため圧迫感を取り除き作業をし易くすることができる。
【実施例２】
【００１２】  図４は、本発明の第２の実施の形態の昇降式戸棚に用いられる戸棚ケース昇降装置と開口扉昇降装置の斜視図を示す。
図４に示すように、本発明の第２の実施の形態の昇降式戸棚は、本発明の第１の実施の形態の昇降式戸棚に用いられる戸棚ケース昇降装置２０と同じものを設置しスライド収納棚１２の昇降を行なう。
開口扉昇降装置４０は、戸棚ケース昇降装置２０の回転軸２４に巻取りローラ４１が固定され、開口扉昇降ベルト４８は、一方の端部が巻取りローラ４１に固定され、他方の端部がベルト固定部４３により開口扉４６の上面に固定され、開口扉昇降装置４０の他方側も同様の構成となっている。
駆動モータ２１は、上昇スイッチ４９ａと下降スイッチ４９ｂとを有し、壁面などに設けられる操作スイッチ４９に接続している。上昇スイッチ４９ａが操作されると、駆動モータ２１は正転作動して巻取りローラ２２が戸棚ケース昇降ベルト２８を巻き取ってスライド収納棚１２を上昇させ、下降スイッチ４９ｂが操作されると、逆転作動して巻取りローラ２２を逆転回動させ巻取りローラ２２に巻かれている戸棚ケース昇降ベルト２８は巻き戻されスライド収納棚１２を下降させることができる。
開口扉昇降装置４０は、操作スイッチ４９の下降スイッチ．４９ｂが操作されスライド収納棚１２が下降するとき、回転軸２４に固定された巻取りローラ４１が開口扉昇降ベルト４８を巻取り、開口扉４６を上昇方向にスライド移動させることができ、また、操作スイッチ４９の上昇スイッチ４９ａが操作されスライド収納棚１２が上昇するとき、回転軸２４に固定された巻取りローラ４１が開口扉昇降ベルト４８を巻き戻し、開口扉４６を下降方向にスライド移動させることができる。【００１３】  以上述べたように、本発明の第２の実施の形態の昇降式戸棚は、戸棚ケース昇降装置２０によりスライド収納棚１２を下降させたときに、開口扉昇降装置４０により開口扉４６を上昇させスライド収納棚１２の前側を全面的に開口することができ、スライド収納棚１２の中のものの取出しや収納を容易とするとともに、開口扉４６は垂直方向に上昇し前方に出っ張らないため圧迫感を取り除き作業をし易くすることができる。
【実施例３】
【００１４】  図５は、本発明の第３の実施の形態の昇降式戸棚に用いられる戸棚ケース昇降装置と開口扉昇降装置の側面図を示し、図５（ａ）は、戸棚ケースにスライド収納棚が収納されているときの側面図を示し、図５（ｂ）は、スライド収納棚が下降したときの側面図を示す。
図５に示すように、本発明の第３の実施の形態の昇降式戸棚は、本発明の第１の実施の形態の昇降式戸棚に用いられる戸棚ケース昇降装置２０と同じものを設置しスライド収納棚１２の昇降を行なう。
開口扉昇降装置５０は、スライドアーム５１が戸棚ケース１１の側面内側に固定されたピン５１ａにスライド溝５１ｂによりスライド自在に取付けられ、前面側の端部が戸棚ケース１１に上下方向にスライド自在に取付けられた開口扉５６の内側に固定されたスライドアーム取付部５２のピン５２ａに回転自在に取付けられている。
戸棚ケース１１に収納されたスライド収納棚１２が下降したときスライド収納棚１２の所定位置に固定されたピン５３がスライドアーム５１の後端側に当接してスライドアーム５１を引下げ、開口扉５６を上昇させることができる。開口扉昇降装置５０の他方側も同様の構成となっている。
駆動モータ２１は、上昇スイッチ５９ａと下降スイッチ５９ｂとを有し、壁面などに設けられる操作スイッチ５９に接続している。上昇スイッチ５９ａが操作されると、駆動モータ２１は正転作動して巻取りローラ２２が戸棚ケース昇降ベルト２８を巻き取ってスライド収納棚１２を上昇させ、下降スイッチ５９ｂが操作されると、巻取りローラ２２を逆転回動させ巻取りローラ２２に巻かれている戸棚ケース昇降ベルト２８は巻き戻されスライド収納棚１２を下降させることができる。
図５（ａ）に示すように、本発明の第３の実施の形態の昇降式戸棚は、収納物の収納や取出しを行わないときは、スライド収納棚１２が戸棚ケース１１に収納され、スライド収納棚１２の所定位置に固定されたピン５３がスライドアーム５１の後端側に当接していないため、開口扉５６は下降しておりスライド収納棚１２の前面側を塞いでいる。
図５（ｂ）に示すように、スライド収納棚１２が戸棚ケース１１に収納されているときに下降スイッチ５９ｂが操作されると、戸棚ケース昇降装置２０の駆動モータ２１によって巻取りローラ２２を逆転回動させ巻取りローラ２２に巻かれている戸棚ケース昇降ベルト２８は巻き戻されスライド収納棚１２を下降させることができるとともに、開口扉昇降装置５０は、スライド収納棚１２が下降したときスライド収納棚１２の所定位置に固定されたピン５３がスライドアーム５１の後端側に当接してスライドアーム５１を引下げ、開口扉５６を上昇方向にスライド移動させることができる。【００１５】  以上述べたように、本発明の第３の実施の形態の昇降式戸棚は、戸棚ケース昇降装置２０によりスライド収納棚１２を下降させたときに、開口扉昇降装置５０により開口扉５６を上昇させスライド収納棚１２の前側を全面的に開口することができ、スライド収納棚１２の中のものの取出しや収納を容易とするとともに、開口扉５６は垂直方向に上昇し前方に出っ張らないため圧迫感を取り除き作業をし易くすることができる。
【実施例４】
【００１６】  図６は、本発明の第４の実施の形態の昇降式戸棚に用いられる戸棚ケース昇降装置と開口扉回動装置の側面図を示し、図６（ａ）は、戸棚ケースにスライド収納棚が収納されているときの側面図を示し、図６（ｂ）は、スライド収納棚が下降したときの側面図を示す。
図６に示すように、本発明の第４の実施の形態の昇降式戸棚は、本発明の第１の実施の形態の昇降式戸棚に用いられる戸棚ケース昇降装置２０と同じものを設置しスライド収納棚１２の昇降を行なう。
開口扉回動装置６０は、スイング式の開口扉６６を回動しスライド収納棚１２の前面を開口するもので、回転アーム６１が戸棚ケース１１の側面内側に固定されたピン６２に回転自在に取付けられ、前面側の端部がスイング式の開口扉６６の内側に固定され、開口扉回動ベルト６８の一端が回転アーム６１の前面側に固定され、他端が巻取りローラ６４に固定されている。巻取りローラ６４は戸棚ケース１１の内側上方に固定された駆動モータ６３に連結している。スライド収納棚１２が下降するときには、開口扉回動ベルト６８を巻取りローラ６４により巻取ることにより、スイング式の開口扉６６を内側上方に回動することができる。開口扉回動装置６０の他方側も同様の構成となっている。
駆動モータ２１は、上昇スイッチ６９ａと下降スイッチ６９ｂとを有し、壁面などに設けられる操作スイッチ６９に接続している。上昇スイッチ６９ａが操作されると、駆動モータ２１は正転作動して巻取りローラ２２が戸棚ケース昇降ベルト２８を巻き取ってスライド収納棚１２を上昇させ、下降スイッチ６９ｂが操作されると、逆転作動して巻取りローラ２２を逆転回動させ巻取りローラ２２に巻かれている戸棚ケース昇降ベルト２８は巻き戻されスライド収納棚１２を下降させることができる。
図６（ａ）に示すように、本発明の第４の実施の形態の昇降式戸棚は、収納物の収納や取出しを行わないときは、スライド収納棚１２が戸棚ケース１１に収納され、駆動モータ６３により巻取りローラ６４に巻かれている開口扉回動ベルト６８は巻き戻されているため、スイング式の開口扉６６は下方にありスライド収納棚１２の前面側を塞いでいる。
図６（ｂ）に示すように、スライド収納棚１２が戸棚ケース１１に収納されているときに下降スイッチ５９ｂが操作されると、戸棚ケース昇降装置２０の駆動モータ２１によって巻取りローラ２２を逆転回動させ巻取りローラ２２に巻かれている戸棚ケース昇降ベルト２８は巻き戻されスライド収納棚１２を下降させることができるとともに、開口扉回動装置６０は、駆動モータ６３に連結した巻取りローラ６４が開口扉回動ベルト６８を巻取りローラ６４により巻取り、スイング式の開口扉６６を内側上方に回動させ、スライド収納棚１２の前面側を開口することができる。【００１７】  以上述べたように、本発明の第４の実施の形態の昇降式戸棚は、戸棚ケース昇降装置２０によりスライド収納棚１２を下降させたときに、開口扉回動装置６０によりスイング式の開口扉６６を内側上方に回動させ、スライド収納棚１２の前側を全面的に開口することができ、スライド収納棚１２の中のものの取出しや収納を容易とするとともに、スイング式の開口扉６６は内側上方に回動し前方に出っ張らないため圧迫感を取り除き作業をし易くすることができる。
なお、本発明の第４の実施の形態の昇降式戸棚は、回転アームをほぼ中央でピンにより戸棚ケース１１の内側に回転自在に取付け、スライド収納棚１２の側面に設けたピンによりスイング式の開口扉６６を内側上方に回動することもできる。
【実施例５】
【００１８】  図７は、本発明の第５の実施の形態の前方に引出し可能とした昇降式戸棚に用いられる戸棚ケース昇降引出し装置と開口扉昇降装置の斜視図を示す。
図７に示すように、戸棚ケース昇降引出し装置７０は、戸棚ケース１４（図８参照）の内側上部の中央に駆動モータ７１が取付けられ、駆動モータ７１は、ＤＣモータ７１ａと、ＤＣモータ７１ａの回転数を減速しトルクを増大する減速器７１ｂとにより構成され、減速器７１ｂが回転軸７９に連結している。回転軸７９には巻取りローラ７２が取り付けられ、第１のガイドローラ７３がスライド板１５の内側上部中央に取り付けられ、第２のガイドローラ７４が戸棚ケース１４の内側上部の後面側に取付けられ、第３のガイドローラ７５がスライド板１５の内側の後面側に取り付けられ、第４のガイドローラ７６がスライド収納棚１６の側面の中央より前面側に取り付けられている。【００１９】  戸棚ケース昇降引出しベルト７８は、巻取りローラ７２に一方の端部が固定され、第１、第２、第３、第４のガイドローラ７３、７４、７５、７６に掛けられ、第４のガイドローラ７６で折返されて他方の端部がスライド収納棚１６の側面でピン７７に固定されている。戸棚ケース昇降引出し装置７０の他方側も同様の構成となっている。
駆動モータ７１は、上昇スイッチ８９ａと下降スイッチ８９ｂとを有する壁面などに設けられる操作スイッチ８９に接続し、上昇スイッチ８９ａが操作されると正転作動し、巻取りローラ７２が戸棚ケース昇降引出しベルト７８を巻き付け、下降スイッチ８９ｂが操作されると逆転作動し、巻取りローラ７２を逆転回動させ巻取りローラ７２に巻かれている戸棚ケース昇降引出しベルト７８は巻き戻される。
操作スイッチ８９が操作され、駆動モータ７１が駆動して回転軸７９が回動すると、巻取りローラ７２により戸棚ケース昇降引出しベルト７８の巻取り巻戻しが行われ、スライド板１５を昇降するとともに、スライド板１５が下降したとき、戸棚ケース昇降引出しベルト７８の巻戻しによりスライド収納棚１６を前方斜め下方にスライド移動することができる。
開口扉昇降装置８０は、戸棚ケース１４の内部に取付けられた軸８２にガイドローラ８１が回転自在に取付けられ、開口扉昇降ベルト８８は、一方の端部が取付部８３により開口扉８６の上端に固定され、ガイドローラ８１に掛けられた他方の端部が取付部８４によりスライド板１５の上面に固定され、スライド板１５がスライド収納棚１６の引出しが行われる所定の位置まで下降するとき、開口扉昇降ベルト８８により開口扉８６をスライド収納棚１６の引出しが行われる所定の位置まで上昇させる。開口扉昇降装置８０の他方側も同様の構成となっている。【００２０】  図８は、本発明の第５の実施の形態の前方に引出し可能とした昇降式戸棚に用いられる戸棚ケース昇降装置と開口扉昇降装置の側面図を示し、図８（ａ）は、戸棚ケースにスライド収納棚が収納されているときの側面図を示し、図８（ｂ）は、スライド収納棚が下降したが下降したときの側面図を示し、図８（ｃ）は、さらにスライド収納棚が前方に引出されたときの側面図を示す。
図８（ａ）に示すように、操作スイッチ８９の上昇スイッチ８９ａが操作されたときには、戸棚ケース１４の内側上部の中央に取り付けられた駆動モータ７１が作動して巻取りローラ７２が回動し、巻取りローラ７２に一方の端部が固定され、第１のガイドローラ７３、第２のガイドローラ７４、第３のガイドローラ７５、第４のガイドローラ７６に掛けられ、ピン７７で他方の端部が固定された戸棚ケース昇降引出しベルト７８が巻き上げられてスライド板１５が上昇し、スライド収納棚１６は、戸棚ケース１４に収納されている。同時に、開口扉昇降装置８０により開口扉８６が下降し、戸棚ケース１１の前面側を塞いでいる。
図８（ｂ）に示すように、操作スイッチ８９の下降スイッチ８９ｂが操作されたときには、駆動モータ７１が作動して巻取りローラ７２が回動し、戸棚ケース昇降引出しベルト７８が巻き戻され、スライド板１５はスライド収納棚１６の引出しが行われる所定の位置まで下降するが、まだスライド収納棚１６は、スライド板１５の間で戸棚ケース１４の下方の位置に収納されている。このとき、開口扉８６は、開口扉昇降装置８０によりスライド板１５の下降に応じて上昇し、戸棚ケース１１の前面側を開口してスライド収納棚１６の引出しを可能とすることができる。
図４（ｃ）に示すように、スライド板１５が所定の位置まで下降したとき駆動モータ７１が引き続き作動し、第４のガイドローラ７６に掛けたれた戸棚ケース昇降引出しベルト昇降ベルト７８が緩められると、スライド収納棚１６は、スライダ８５に沿って前方斜め下方にスライド移動することができる。【００２１】  以上述べたように、本発明の第５の実施の形態の昇降引出し式戸棚は、戸棚ケース１４にスライド収納棚１６が収納されているときには、開口扉８６がスライド収納棚１６の前面を塞ぎ、スライド収納棚１６が下降するときには開口扉８６が上昇してスライド収納棚１６の前側下方を開口し、さらに斜め下方にスライド移動するときには、スライド収納棚１６の前側が全面的に開口しており、スライド収納棚１６の中のものの取出しや収納を容易とするとともに、開口扉８６は前方に出っ張らないため圧迫感を取り除き作業をし易くすることができる。
なお、本発明の第１〜５の実施の形態の昇降式戸棚は、流し台の上方に設けられる以外に使用することができ、他の棚類についての同様のことを行うことができる。
さらに、本発明の実施の形態の昇降式戸棚は、駆動にベルトを使用することとしたが、ワイヤなどを使用することもできる。
【図面の簡単な説明】
【００２２】
【図１】  本発明の第１の実施の形態の昇降式戸棚の斜視図を示し、図１（ａ）は、本発明の第１の実施の形態の昇降式戸棚のスライド収納棚が戸棚ケースに収納されたときの斜視図を示し、図１（ｂ）は、本発明の第１の実施の形態の昇降式戸棚のスライド収納棚が下降したときの斜視図を示す。
【図２】  本発明の第１の実施の形態の昇降式戸棚に設けられる戸棚ケース昇降装置と開口扉昇降装置の斜視図を示す。
【図３】  本発明の第１の実施の形態の昇降式戸棚に用いられる戸棚ケース昇降装置と開口扉昇降装置の側面図を示し、図３（ａ）は、戸棚ケースにスライド収納棚が収納されているときの側面図を示し、図３（ｂ）は、スライド収納棚が下降したときの側面図を示す。
【図４】  本発明の第２の実施の形態の昇降式戸棚に用いられる戸棚ケース昇降装置と開口扉昇降装置の斜視図を示す。
【図５】  本発明の第３の実施の形態の昇降式戸棚に用いられる戸棚ケース昇降装置と開口扉昇降装置の側面図を示し、図５（ａ）は、戸棚ケースにスライド収納棚が収納されているときの側面図を示し、図５（ｂ）は、スライド収納棚が下降したときの側面図を示す。
【図６】  本発明の第４の実施の形態の昇降式戸棚に用いられる戸棚ケース昇降装置と回動扉回動装置の側面図を示し、図６（ａ）は、戸棚ケースにスライド収納棚が収納されているときの側面図を示し、図６（ｂ）は、スライド収納棚が下降したときの側面図を示す。
【図７】  本発明の第５の実施の形態の前方に引出し可能とした昇降式戸棚に用いられる戸棚ケース昇降引出し装置と開口扉昇降装置の斜視図を示す。
【図８】  本発明の第５の実施の形態の前方に引出し可能とした昇降式戸棚に用いられる戸棚ケース昇降装置と開口扉昇降装置の側面図を示し、図８（ａ）は、戸棚ケースにスライド収納棚が収納されているときの側面図を示し、図８（ｂ）は、スライド収納棚が下降したが下降したときの側面図を示し、図８（ｃ）は、さらにスライド収納棚が前方に引出されたときの側面図を示す。
【図９】  従来の昇降式戸棚の斜視図を示し、図９（ａ）は、収納棚が戸棚ケースに収納されたときの斜視図を示し、図９（ｂ）は、収納棚が下降したときの斜視図を示す。
【符号の説明】
【００２３】  １１、１４  戸棚ケース
１２、１６  スライド収納棚
１５  スライド板
２０  戸棚ケース昇降装置
２１、６３、７１  駆動モータ
２２、４１、６４、７２  巻取りローラ
２３、３１、７３、７４、７５、７６、８１  ガイドローラ
２８  戸棚ケース昇降ベルト
３０、８０  開口扉昇降装置
３６、４６、５６、６６、８６  開口扉
３８、４８開口扉昇降ベルト
４０、５０  開口扉昇降装置
５１  スライドアーム
６０  開口扉回動装置
６１  回転アーム
６８  開口扉回動ベルト
７０  戸棚ケース昇降引出し装置
８８  開口扉昇降ベルト
３９、４９、５９、６９、８９  操作スイッチ
【図１】
2006000581.tif 000003
【図２】
2006000581.tif 000004
【図３】
2006000581.tif 000005
【図４】
2006000581.tif 000006
【図５】
2006000581.tif 000007
【図６】
2006000581.tif 000008
【図７】
2006000581.tif 000009
【図８】
2006000581.tif 000010
【図９】
2006000581.tif 000011